(57)【特許請求の範囲】
【請求項１】
間接活線作業時に作業者が把持し、遠隔位置の活線における作業対象部位に先端部が位置するように操作するための共用操作棒と、前記共用操作棒の前記先端部に着脱自在に接続可能な先端工具と、を有する間接活線作業用器具であって、
前記共用操作棒に固定される固定部と、
前記固定部に係合して前記共用操作棒に固定された保持部と、
絶縁性の筒状部材からなり、前記保持部を覆うように被せて配設された絶縁部と、を備え、
前記絶縁部は、前記保持部によって前記共用操作棒に対する配置を保持されると共に、前記共用操作棒の軸方向に作用する力に応じて前記長手方向に移動可能に配設されており、着脱される前記先端工具に応じて適宜位置が移動され、少なくとも前記共用操作棒の先端部における前記先端工具との接続部分を覆う
ことを特徴とする間接活線作業用器具。
【請求項２】
前記保持部には、外周面に外方に向けた凸部が当該共用操作棒の長手方向に亘って多段に設けられ、
前記絶縁部には、前記凸部に対応する凹部が内周面の前記長手方向に亘って多段に設けられ、
前記絶縁部は、前記凹部を前記保持部の凸部に係合させて前記共用操作棒に対する配置が保持されると共に、前記共用操作棒の軸方向に作用する力に応じて前記長手方向に移動することを特徴とする請求項１に記載の間接活線作業用器具。
【請求項３】
前記固定部は楔状をなし、前記共用操作棒に取り付けられた状態で外周に沿って螺旋状の溝を有すると共に、
前記保持部は、前記固定部の外周と対峙する内周に、前記溝に対応する螺旋状の突起部を有しており、
前記保持部は、前記固定部に螺合して前記共用操作棒に固定されることを特徴とする請求項１または２に記載の間接活線作業用器具。
【請求項４】
前記保持部は、前記凸部に替えて前記外周面に雄ネジが設けられると共に、
前記絶縁部は、前記凹部に替えて前記内周面に前記雄ネジに対応する雌ネジが設けられており、
前記絶縁部は、前記保持部に螺合され、回転させることで前記共用操作棒の長手方向に移動可能となっていることを特徴とする請求項２または３に記載の間接活線作業用器具。
【請求項５】
前記保持部は、前記固定部を介すことなく接合部材によって前記共用操作棒に直接固定されていることを特徴とする請求項１〜４のいずれか一項に記載の間接活線作業用器具。
【請求項６】
前記絶縁部は、前記共用操作棒に予め取り付けられており、前記先端工具の着脱時に前記長手方向に移動され、当該共用操作棒の先端部を露出させることを特徴とする請求項１〜５のいずれか一項に記載の間接活線作業用器具。
【請求項７】
請求項１〜６のいずれか一項に記載の間接活線作業用器具を用いた間接活線作業方法であって、
前記固定部と前記保持部を介して前記共用操作棒に配設された前記絶縁部に対して当該共用操作棒の軸方向に力を作用させ、前記長手方向に移動させる絶縁部移動工程と、
前記絶縁部移動工程において前記共用操作棒の前記先端部が露出されると、前記先端工具を着脱する先端工具着脱工程と、を備え、
前記先端工具着脱工程において前記共用操作棒の前記先端部に前記先端工具を接続した場合、当該先端工具の装着後、再び前記絶縁部移動工程によって前記絶縁部を前記長手方向に移動させ、少なくとも前記共用操作棒の先端部における前記先端工具との接続部分を覆うことを特徴とする間接活線作業用方法。
【発明の詳細な説明】
【技術分野】
【０００１】
本発明は、間接活線作業を行う際に使用する間接活線作業用器具およびそれを用いた作業方法に関する。
【背景技術】
【０００２】
従来、充電状態の高圧線（活線）に対して作業を行う場合、直接電線の通電部分に触れることなく、活線近接範囲外から間接的に作業を行う間接活線作業が行われている。この間接活線作業には、架空線（活線）の作業位置に先端部を位置させることが可能な絶縁性の素材からなる長尺な共用操作棒（絶縁操作棒）と、その先端部に着脱自在に接続（連結）可能な各種作業に適した先端工具と、を有する間接活線作業用器具が使用されていた。
【０００３】
かかる間接活線作業用器具としては、電線の接地を取る間接接地地絡器具（例えば、特許文献１参照）や、電線を被覆したままの状態で針状の針電極を電線に差し込み電気的に接続する針電極クランプ（例えば、特許文献２参照）等が知られている。また、活線近傍に位置する邪魔な木の枝等を伐採する鎌や、鋸、ハンマー、ラチェットレンチ等を先端工具として備え、絶縁操作棒の長さを作業に応じた長さのものに適宜変更可能な間接活線作業用器具（例えば、特許文献３参照）もあった。
【先行技術文献】
【特許文献】
【０００４】
【特許文献１】特開２００２−１５２９３５号公報
【特許文献２】特開２０００−２０９７２６号公報
【特許文献３】特開２００８−０７９４３２号公報
【発明の概要】
【発明が解決しようとする課題】
【０００５】
しかしながら、共用操作棒に取り付ける先端工具や、当該先端工具を取り付ける接続部分の多くは金属製であり、絶縁構造を有していない場合が多い。そのため、近年、間接活線作業において、先端工具を活線等に不用意に接触させることによって、地絡や短絡などの不具合が生じる場合があった。
【０００６】
そこで、本発明は上述した問題点に鑑みてなされたもので、間接活線作業用器具における先端工具の露出部分を必要最低限に抑えることで、間接活線作業時に先端工具による活線との不用意な接触を防止することが可能な間接活線作業用器具およびそれを用いた作業方法の提供を主たる目的とする。
【課題を解決するための手段】
【０００７】
上記課題を解決するために、本発明の間接活線作業用器具は、
間接活線作業時に作業者が把持し、遠隔位置の活線における作業対象部位に先端部が位置するように操作するための共用操作棒と、前記共用操作棒の前記先端部に着脱自在に接続可能な先端工具と、を有する間接活線作業用器具であって、
前記共用操作棒に固定される固定部と、
前記固定部に係合して前記共用操作棒に固定された保持部と、
絶縁性の筒状部材からなり、前記保持部を覆うように被せて配設された絶縁部と、を備え、
前記絶縁部は、前記保持部によって前記共用操作棒に対する配置を保持されると共に、前記共用操作棒の軸方向に作用する力に応じて前記長手方向に移動可能に配設されており、着脱される前記先端工具に応じて適宜位置が移動され、少なくとも前記共用操作棒の先端部における前記先端工具との接続部分を覆う
ことを特徴とする。
【０００８】
このとき、前記保持部には、外周面に外方に向けた凸部が当該共用操作棒の長手方向に亘って多段に設けられ、
前記絶縁部には、前記凸部に対応する凹部が内周面の前記長手方向に亘って多段に設けられ、
前記絶縁部は、前記凹部を前記保持部の凸部に係合させて前記共用操作棒に対する配置が保持されると共に、前記共用操作棒の軸方向に作用する力に応じて前記長手方向に移動することが好ましい。
【０００９】
しかも、前記固定部は楔状をなし、前記共用操作棒に取り付けられた状態で外周に沿って螺旋状の溝を有すると共に、
前記保持部は、前記固定部の外周と対峙する内周に、前記溝に対応する螺旋状の突起部を有しており、
前記保持部は、前記固定部に螺合して前記共用操作棒に固定されることが好ましい。
【００１０】
また、前記保持部は、前記凸部に替えて前記外周面に雄ネジが設けられると共に、
前記絶縁部は、前記凹部に替えて前記内周面に前記雄ネジに対応する雌ネジが設けられており、
前記絶縁部は、前記保持部に螺合され、回転させることで前記共用操作棒の長手方向に移動可能となっていても良い。
【００１１】
さらに、前記保持部は、前記固定部を介すことなく接合部材によって前記共用操作棒に直接固定されていても良い。なお、この場合、少なくとも前記接合部材における前記共用操作棒側の端部が、固定状態を保持しつつ（共用操作棒に対する摩擦係数が高く）、前記共用操作棒が接合部材によって傷つけられることから保護することが可能な樹脂製（例えば、ゴム製）であるか、または前記共用操作棒における当該保持部の配置される部位に、前記樹脂製（ゴム製など）の保護部（保護膜など）が覆設されていることが望ましい。
【００１２】
さらに、前記絶縁部は、前記共用操作棒に予め取り付けられており、前記先端工具の着脱時に前記長手方向に移動され、当該共用操作棒の先端部を露出させることが好ましい。
【００１３】
また、本発明の間接活線作業用方法は、
請求項１〜６のいずれか一項に記載の間接活線作業用器具を用いた間接活線作業方法であって、
前記固定部と前記保持部を介して前記共用操作棒に配設された前記絶縁部に対して当該共用操作棒の軸方向に力を作用させ、前記長手方向に移動させる絶縁部移動工程と、
前記絶縁部移動工程において前記共用操作棒の前記先端部が露出されると、前記先端工具を着脱する先端工具着脱工程と、を備え、
前記先端工具着脱工程において前記共用操作棒の前記先端部に前記先端工具を接続した場合、当該先端工具の装着後、再び前記絶縁部移動工程によって前記絶縁部を前記長手方向に移動させ、少なくとも前記共用操作棒の先端部における前記先端工具との接続部分を覆うことを特徴とする。
【発明の効果】
【００１４】
本発明によれば、間接活線作業用器具における先端工具の露出部分を必要最低限に抑えることで、間接活線作業時に先端工具による活線との不用意な接触を防止できる。
【図面の簡単な説明】
【００１５】
【図１】本発明の一実施形態に係る間接活線作業用器具の構成を概略的に示す部分的断面図である。
【図２】図１の間接活線作業用器具の組付工程を示す説明図であり、（ａ）は共用操作棒に固定リング受けを取り付ける様子、（ｂ）は取り付けた固定リング受けに固定リングを係合させる様子、（ｃ）は固定リングが固定された様子、（ｄ）は固定された固定された固定リングに絶縁筒を組み付ける様子、（ｅ）は組み付けた絶縁筒の位置をずらして先端工具の接続を準備する様子、（ｆ）は組み付けた絶縁筒の位置をずらして先端工具を覆う様子を示している。
【図３】固定リング受けと固定リングの具体例を示す部分的断面図である。
【図４】他の実施形態に係る間接活線作業用器具の構成を部分的に断面で示す斜視図である。
【発明を実施するための形態】
【００１６】
以下、本発明の一実施形態に係る間接活線作業用器具について図面を参照しながら説明する。
【００１７】
図１および図２に示すように、本実施形態による間接活線作業用器具１は、共用操作棒２と、この共用操作棒２の先端部に着脱自在に接続可能な先端工具３と、を有している。共用操作棒２は、絶縁性の素材からなる棒状部材であり、間接活線作業時に作業者が把持し、遠隔位置の活線における作業対象部位に先端部（すなわち、先端部に取り付けた先端工具３）が位置するように操作するための操作手段である。
【００１８】
先端工具３は作業内容に応じて各種用意されており、接続部４を介して共用操作棒２に容易に着脱可能となっている。具体的には、先端工具３の基端部３１に設けられた切欠き３２に、共用操作棒２の先端部に設けられた接続部４の固定用突起部４１を係合させるようにして着脱するようになっている。なお、本実施形態において、先端工具３は先端が尖った形状をなしており、検電時に使用する検知子を構成するものとする。
【００１９】
また、かかる間接活線作業用器具１には、絶縁性の筒状部材からなる絶縁部としての絶縁筒５が設けられている。この絶縁筒５は、共用操作棒２に固定される固定部としての固定リング受け６１と、固定リング受け６１に係合して共用操作棒２に固定され、外周面に外方に向けた凸部６２ａが当該共用操作棒２の長手方向Ｌに亘って多段に設けられた保持部としての固定リング６２と、を介して共用操作棒２に取り付けられている。ここでは、絶縁筒５を円筒形とする一例を図示しているが、本発明はこれに限ることはない。但し、共用操作棒２が円筒形である場合、それに合わせて絶縁筒５を円筒形とすることにより、間接活線作業用器具１（共用操作棒２）に対して、絶縁部分（絶縁筒５）を無駄なく配設でき、当該間接活線作業用器具１における作業性・操作性の低下を回避できる。
【００２０】
具体的に、固定リング受け６１は、例えば４つの楔が横並びになっているバンド状をなし、共用操作棒２に巻き付けられている。なお、固定リング受け６１は、図３に示すように、共用操作棒２に取り付けられた状態で、外周に沿って螺旋状の雄ネジ６１ａを有していることが好ましい。これに対し、固定リング６２は、固定リング受け６１の外周と対峙する内周に、固定リング受け６１の雄ネジ６１ａに対応する螺旋状の雌ネジ６２ｂを有していることが好ましい。これにより、固定リング６２は、固定リング受け６１に螺合することで、固定リング受け６１の共用操作棒２に対する締め付けがきつくなり、共用操作棒２にしっかりと固定される効果を奏することができる。
【００２１】
また、絶縁筒５には、固定リング６２の凸部６２ａに対応する凹部５ａが内周面の長手方向Ｌに亘って多段に設けられ、固定リング６２を覆うように被せて配設されている。そして、絶縁筒５は、共用操作棒２に対して、凹部５ａを固定リング６２の凸部６２ａに係合させることで、共用操作棒２に対する位置が保持される。
【００２２】
このとき、絶縁筒５は、少なくとも共用操作棒２の先端部における先端工具３との接続部分である接続部４（より望ましくは、当該接続部４を含む先端工具３の作業で使用しない部分まで）を覆うようになっている。これにより、間接活線作業用器具１における先端工具の露出部分を必要最低限に抑えることができる。よって、間接活線作業時に、当該間接活線作業用器具１が先端工具３による活線との不用意な接触を防止できる。従って、このような接触に起因した地絡や短絡などの不具合の発生も未然に回避可能となる効果も奏することができる。
【００２３】
これと共に、絶縁筒５は共用操作棒２の軸方向（長手方向Ｌ）に作用する力に応じて、絶縁筒５の凹部５ａが固定リング６２の凸部６２ａを乗り越えることにより、長手方向Ｌに移動可能に取り付けられている。つまり、絶縁筒５は作業者に把持されて共用操作棒２の軸方向に力を加えられると、当該軸方向（長手方向Ｌ）にスライド移動するようになっている（絶縁部移動工程）。本実施形態の場合、このような絶縁筒５は、共用操作棒２に予め取り付けられており、先端工具３の着脱時に長手方向Ｌに移動されて、当該共用操作棒２の先端部を容易に露出させることが可能となっている。つまり、絶縁筒５は、作業の都度、共用操作棒２に取り付けられるのではなく、間接活線作業用器具１として、共用操作棒２に予め取り付けられていることが好ましい。
【００２４】
これにより、間接活線作業用器具１は、絶縁筒５を取り付けた状態であっても、その位置を容易に移動することができ、簡単な操作で先端工具３の着脱が可能である。このため、先端工具３の着脱時（交換時）にわざわざ絶縁筒５を取り外す必要なく、絶縁筒５は着脱される先端工具３に応じて適宜位置を移動させるだけで当該先端工具３の着脱を行うことができ、作業性に優れている。このように、絶縁筒５は、先端工具３の種類に応じて位置を任意に設定（変更）可能であるので、様々な工具に広く適用できる。
【００２５】
また、絶縁筒５は上述のように長手方向Ｌにスライド移動（絶縁部移動工程）したことによって共用操作棒２の先端部が露出されると先端工具３を着脱する（先端工具着脱工程）可能とする。そして、先端工具着脱工程において共用操作棒２の先端部に先端工具３を接続した場合、当該先端工具３の装着後、再び絶縁部移動工程によって絶縁筒５を長手方向Ｌに移動させ、少なくとも共用操作棒２の先端部における先端工具３との接続部分を覆うようになっている。
【００２６】
なお、本実施形態の場合、保持部として円形状の固定リング６２を適用する場合について述べるが、一例であってこれに限らず、保持部としては例えば、固定リング６２に切欠部（不図示）を設けて、平面視十字状の形状を適用しても良い。この場合、切欠部によって握り易くなるため、共用操作棒２への取付作業が格段と容易になる利点を備えることができる。しかも、切欠部が形成される分、保持部（固定リング６２）としての重量が削減され、軽量化を図ることも可能となる。
【００２７】
以上、説明したように、本実施形態の間接活線作業用器具１によれば、共用操作棒２に固定される固定リング受け６１と、この固定リング受け６１に係合して共用操作棒２に固定され、外周面に外方に向けた凸部６２ａが当該共用操作棒２の長手方向Ｌに亘って多段に設けられた固定リング６２と、絶縁性の筒状部材からなり、凸部６２ａに対応する凹部５ａが内周面の長手方向Ｌに亘って多段に設けられ、固定リング６２を覆うように被せて配設された絶縁筒５と、を備えている。かかる絶縁筒５は、共用操作棒２に対して、凹部５ａを固定リング６２の凸部６２ａに係合させて位置が保持されると共に、共用操作棒２の軸方向に作用する力に応じて長手方向Ｌに移動可能に取り付けられている。そして、絶縁筒５は、着脱される先端工具３に応じて適宜位置が移動され、少なくとも共用操作棒２の先端部における先端工具３との接続部４を覆うので、間接活線作業用器具１における先端工具３の露出部分を必要最低限に抑えることができ、間接活線作業時に先端工具３による活線との不用意な接触を確実に回避できる。このため、先端工具３による活線との不用意な接触に起因した地絡・短絡などの不具合の発生を未然に防止できる効果も奏することができる。
また、絶縁筒５は、固定リング６２の凸部６２ａに対して凹部５ａを係合させて取り付けられているので、長手方向Ｌに力を加えてスライド移動させる容易な動作で、絶縁筒５の位置を多段階に調整でき、簡単な操作で絶縁を確保できる範囲を変更できる。換言すれば、ネジを使用した螺合構造に比べて、凹部５ａに凸部６２ａを乗り越えさせるスライド構造を採用した場合、回転させるよりもスピーディー且つ容易に絶縁筒５を移動させることができるので、操作性に優れている。
【００２８】
このとき、固定リング受け６１は楔状をなし、共用操作棒２に取り付けられた状態で外周に沿って螺旋状の溝を有すると共に、固定リング６２は、固定リング受け６１の外周と対峙する内周に、溝に対応する螺旋状の突起部を有しており、固定リング６２は、固定リング受け６１に螺合して共用操作棒２に固定されることが好ましい。これにより、固定リング６２を共用操作棒２に対して簡単かつ確実に固定できる。
【００２９】
また、絶縁筒５は、共用操作棒２に予め取り付けられており、先端工具３の着脱時に長手方向Ｌに移動され、当該共用操作棒２の先端部を露出させることが可能となっている。これにより、絶縁筒５を装着したまま（取り付けた状態）で先端工具３の着脱（交換）が可能なため、作業性が向上する。
【００３０】
なお、本発明は、請求の範囲および明細書全体から読み取ることのできる発明の要旨または思想に反しない範囲で適宜変更可能であり、そのような変更を伴う間接活線作業用器具もまた本発明の技術思想に含まれる。
【００３１】
例えば、上述した実施形態では、先端工具３として先端が尖った形状をなしており、検電時に使用する検知子を適用する場合について述べたが、本発明はこれに限らず、先端工具としては、この他、図１との対応部分に同一符号を付した図３に示すような電線被覆の剥ぎ取りを行う電線被覆剥ぎ取り工具からなる先端工具１０を適用することもできる。
【００３２】
この場合、先端工具１０は、支軸１１と、フック形状１２を有する第１機能部１３と、棒形状１４を有する第２機能部１５とを有し、支軸１１より下方を絶縁筒５によって覆われている。支軸１１、第１機能部１３および第２機能部１５は共にアルミニウムを主成分とする材料で構成されており、より扱い易くし得る先端工具の軽量化に寄与するようになっている。支軸１１は、絶縁支持部材１６に取り付けられ、さらにこの絶縁支持部材１６を介して絶縁性の共用操作棒２に取り付けられている。共用操作棒２は、例えば接続部４（より具体的には、固定用リングネジとして形成された接続部４）の固定用突起部４１によって絶縁支持部材１６の一部を狭持する形態を有している点は、上述した実施形態と同様である。
【００３３】
第１機能部１３におけるフック形状１２は、支軸１１から、支軸１１の延長線Ａ１上より徐々に離れるように斜め方向に伸長し、延長線Ａ１上から遠ざかった経由個所１７を経て延長線Ａ１上の方向へ近づき、延長線Ａ１上近傍の頂点１８を経てから上記経由個所１７とは延長線Ａ１を隔てて対称的な位置近傍の終端側領域１９まで伸長する構成を有している。延長線Ａ１上近傍の頂点１９は、略９０°の曲げ角度を有することが好ましい。
【００３４】
第２機能部１５における棒形状１４は、フック形状１２をなす部分における支軸１１の延長線Ａ１上から離れた個所、ここでは経由個所１７を基端としてフック形状１２の伸長平面に対して略垂直に起立する構成を有している。支軸１１の延長線Ａ１を鉛直方向とすると、鉛直方向より所定角度遠ざかる角度の方向に棒形状１４が配置できる形態となる。棒形状１４は、その基端部をフック形状１２の経由個所１７に溶接することにより固定されている。その他図示しないが、棒形状１４は、経由個所１７に設けた貫通穴を介して棒形状１４の伸長方向と反対側よりナットまたはボルトなどの固定具で固定されるような構成をとってもよい。棒形状１４の断面積に関し、起立方向の先端領域１４ａの部分は大きく、少なくとも先端領域１４ａの直ぐ下の領域部分１４ｂの断面積は先端領域１４ａの部分に比べて小さくなっている。
【００３５】
また、上述した実施形態では、固定リング６２の外周面に凸部６２ａが設けられ、絶縁筒５の内周面に凹部５ａが設けられる場合について述べたが、一例であってこれに限らず、固定リング６２は、凸部６２ａに替えて外周面に雄ネジ（不図示）が設けられると共に、絶縁筒５は、凹部５ａに替えて内周面に上記雄ネジに対応する雌ネジ（不図示）が設けられ、絶縁筒は、固定リング６２に螺合され、回転させることで共用操作棒２の長手方向Ｌに移動可能となっていてもよい。
【００３６】
さらに、上述した実施形態では、固定リング６２は共用操作棒２に取り付けられた固定リング受け６１と係合して固定される場合について述べたが、本発明はこれに限らず、固定リング６２は、固定リング受け６１を介すことなくネジ等の接合部材によって共用操作棒２に直接固定されていても良い。これにより、部品点数を割愛できると共に、固定リング６２の取付構造を簡略化できる。
なお、この場合、少なくとも接合部材（ネジ等）における共用操作棒２側の端部が、固定状態を保持しつつ（共用操作棒２に対する摩擦係数が高く）、共用操作棒２が接合部材によって傷つけられることから保護することが可能な樹脂製（例えば、ゴム製）であるか、または共用操作棒２における当該固定リング６２の配置される部位に、樹脂製（ゴム製など）の保護部（保護膜など）が覆設されていることが望ましい。これにより、共用操作棒２を傷つけることなく、固定リング６２を固定することができる。
【００３７】
また、上述した実施形態では、固定リング受け６１は、共用操作棒２の一端側に設けられた先端工具３との接続部４側に向けて下り傾斜となるように、当該共用操作棒２に取り付けられる場合について述べたが、本発明はこれに限らず、固定リング受け６１は、共用操作棒２の上記接続部４側に向けて上り傾斜（換言すれば、共用操作棒２の他端側に向けて下り傾斜）となるように取り付けられても良い。すなわち、固定リング６２を共用操作棒２の接続部４側から挿通させて固定リング受け６１と螺合させて取り付けても良いし、逆に共用操作棒２の他端側から挿通させて固定リング受け６１と螺合させて取り付けても良い。
【符号の説明】
【００３８】
１  間接活線作業用器具
２  共用操作棒
３  先端工具
４  接続部
４１  固定用突起部
５  絶縁筒（絶縁部）
５ａ  凹部
６１  固定リング受け（固定部）
６１ａ  溝
６２  固定リング（保持部）
６２ａ  凸部
６２ｂ  突起部
１０  先端工具
１１  支軸
１２  フック形状
１３  第１機能部
１４  棒形状
１４ａ  先端領域
１４ｂ  領域部分
１５  第２機能部
１６  絶縁支持部材
１７  経由個所
１８  頂点
１９  終端側領域
Ａ１  延長線
Ｌ  長手方向（軸方向）
【図１】
0005908537.tif 000002
【図２】
0005908537.tif 000003
【図３】
0005908537.tif 000004
【図４】
0005908537.tif 000005